(57)【要約】【課題】操作・表示部ユニットと電源部ユニットとの配置に関して、操作パネルの高さ位置を低くできると共に、両ユニットと接続する接続線にねじれを生じないようにする。【解決手段】容器２１の開放面を上向きにして配設された操作・表示部ユニット１９と、容器３６の開放面を下向きにして操作・表示部ユニット１９の一側方に配設された電源部ユニット２０と、これらのユニット１９，２０を、操作・表示部ユニット１９の容器２１における電源部ユニット２０側の辺部２１ａから、電源部ユニット２０の容器３６における操作・表示部ユニット１９側とは反対側の辺部３６ａにわたり配されて接続したフラットケーブル３９を具備して成ることを特徴とする。【選択図】　図１
2004121760.tif 000002
【特許請求の範囲】
【請求項１】
操作パネルの操作部並びに表示部に対応する電子部品を実装した回路基板を一面が開放する箱形の容器に収容して成り、その容器の開放面を上向きにして配設された操作・表示部ユニットと、
電源供給のための電子部品を実装した回路基板を一面が開放する箱形の容器に収容して成り、その容器の開放面を下向きにして前記操作・表示部ユニットの一側方に配設された電源部ユニットと、
これらのユニットを、操作・表示部ユニットの容器における電源部ユニット側の辺部から、電源部ユニットの容器における操作・表示部ユニット側とは反対側の辺部にわたり配されて接続したフラットケーブルと、
を具備して成ることを特徴とする洗濯機。
【請求項２】
電源部ユニットを操作・表示部ユニットに対し傾斜させて配設し、それによって開くスペースでそれらの取付部を重ねて、それを貫通する共通のねじにより取付けたことを特徴とする請求項１記載の洗濯機。
【請求項３】
操作・表示部ユニットと電源部ユニットとが、それらの容器の底部を合わせた状態に係合することが可能な係合部を有することを特徴とする請求項１記載の洗濯機。
【請求項４】
電子部品を実装した回路基板を有すると共に電子部品支えを有する電子ユニットと、
前記電子部品支えに一体に形成され、フラットケーブル挿通部を有するケーブルホルダと、
このケーブルホルダのフラットケーブル挿通部に挿通されて前記回路基板に接続されたフラットケーブルと、
を具備して成ることを特徴とする洗濯機。
【請求項５】
電子部品支えとケーブルホルダとが、分断容易な連結部で連結されていることを特徴とする請求項４記載の洗濯機。
【請求項６】
ケーブルホルダが、フラットケーブル挿通部の周囲の一部に常開の口、又は開閉が可能な口を有することを特徴とする請求項４記載の洗濯機。
【発明の詳細な説明】
【０００１】
【発明の属する技術分野】
本発明は電子ユニットを有する洗濯機に関する。
【０００２】
【従来の技術】
従来より、洗濯機においては、例えば特開２００１−４６７８６公報に示されるように、電子ユニットを操作・表示部ユニットと電源部ユニットとに分けて有するものが供されている。このものは、主として電子ユニットの組み立ての都合上、そのようにしているのであるが、更に、このものにおいては、その操作・表示部ユニットと電源部ユニットとを上下に重ねて配設している。
【０００３】
このため、それらの上下方向の寸法が大きくなり、それに伴い、更にそれらの上方に位置する操作パネルの高さ位置が高くなって、該操作パネルの操作がしにくくなる傾向にあった。
これに対し、操作・表示部ユニットと電源部ユニットとを重ねず、機体トップカバーの前部にそれらを並べたり、そこから電源部ユニットを後部に離したりして配設したものが供されている。このものによると、それらの上下方向の寸法は各ユニットの一つ分の寸法で済み、それに伴い、操作パネルの高さ位置を低くできるから、操作パネルの操作をしやすくできる。
【０００４】
但し、その場合、操作・表示部ユニットが、各種電子部品を操作パネルの操作部や表示部に対応させるために上向きに配設されるのに対して、電源部ユニットは、電源部特有の発熱部品の熱が上部に容易に伝わるのを避けるために、下向きに配設される。この関係上、それらのユニットを接続する接続線にはねじれが生じることが想定される。そこで、その接続線には、ねじれても良いように多数の細いリード線を使用したり、あるいは途中でねじれないように接続する中継コネクタを介するものを使用したりしていた。
【０００５】
【発明が解決しようとする課題】
しかしながら、上述のように操作・表示部ユニットと電源部ユニットとを接続する接続線に、多数の細いリード線を使用したり、あるいは中継コネクタを介するものを使用したりするものでは、コストが高くついていた。
【０００６】
本発明は上述の事情に鑑みてなされたものであり、従ってその目的は、操作パネルの高さ位置を低くできると共に、操作・表示部ユニットと電源部ユニットとを接続する接続線にねじれを生じず、多数の細いリード線や、中継コネクタを介するものを使用する必要をなくして、コストの低減ができる洗濯機を提供するにある。
又、本発明の他の目的は、電子ユニットに接続した接続線に過度のストレスがかかることを、安価な構造で防止できる洗濯機を提供するにある。
【０００７】
【課題を解決するための手段】
上記目的を達成するために、本発明の洗濯機は、操作パネルの操作部並びに表示部に対応する電子部品を実装した回路基板を一面が開放する箱形の容器に収容して成り、その容器の開放面を上向きにして配設された操作・表示部ユニットと、電源供給のための電子部品を実装した回路基板を一面が開放する箱形の容器に収容して成り、その容器の開放面を下向きにして前記操作・表示部ユニットの一側方に配設された電源部ユニットと、これらのユニットを、操作・表示部ユニットの容器における電源部ユニット側の辺部から、電源部ユニットの容器における操作・表示部ユニット側とは反対側の辺部にわたり配されて接続したフラットケーブルとを具備して成ることを特徴とする（請求項１の発明）。
【０００８】
このものによれば、操作・表示部ユニットに対し、電源部ユニットはそれと重ねず一側方に配設するから、既述のように、それらの上下方向の寸法は各ユニットの一つ分の寸法で済み、それに伴い、操作パネルの高さ位置を低くできる。
【０００９】
又、それら両ユニットについては、最初、図６の（ａ）に示すように、操作・表示部ユニット（１９）の容器（２１）と電源部ユニット（２０）の容器（３６）とを、ともに開放面を上向きにしておいた状態で、それらの内部にそれぞれの回路基板（２２），（３７）を収容し、ポッティング（３５），（３８）など必要な作業を行う。又、このとき、両ユニット（１９），（２０）は、操作・表示部ユニット（１９）の容器（２１）における電源部ユニット（２０）側の辺部（２１ａ）から、電源部ユニット（２０）の容器（３６）における操作・表示部ユニット（１９）側の辺部（３６ａ）にわたり余裕ある長さをもって配したフラットケーブル（３９）で接続しておく。
【００１０】
この後、図６の（ｂ）に示すように、電源部ユニット（２０）を操作・表示部ユニット（１９）から反する向きに起こし｛図６の（ａ）の矢印Ａ参照｝、更に、図６の（ｃ）に示すように倒して｛図６の（ｂ）の矢印Ｂ参照｝、その上下を最初の状態から反転させる。
【００１１】
これにより、操作・表示部ユニット（１９）は上向き｛容器（２１）の開放面が上向き｝、電源部ユニット（２０）は下向き｛容器（３６）の開放面が下向き｝となって、これらのユニット（１９），（２０）を、操作・表示部ユニット（１９）の容器（２１）における電源部ユニット（２０）側の辺部（２１ａ）から、電源部ユニット（２０）の容器（３６）における操作・表示部ユニット（１９）側とは反対側の辺部｛元は操作・表示部ユニット（１９）側の辺部｝（３６ａ）にわたり配したフラットケーブル（３９）で接続した状態となる。
【００１２】
かくして、このものの場合、操作・表示部ユニット（１９）を上向き、電源部ユニット（２０）を下向きにするものであっても、それらの接続をした接続線｛フラットケーブル（３９）｝はねじれることがなく、そのねじれに対応した従来の多数の細いリード線や、中継コネクタを介するものを使用する必要をなくして、安価なフラットケーブル（３９）を使用できるので、コストの低減ができる。
【００１３】
この場合、電源部ユニットを操作・表示部ユニットに対し傾斜させて配設し、それによって開くスペースでそれらの取付部を重ねて、それを貫通する共通のねじにより取付けるのも良い（請求項２の発明）。
このものでは、操作・表示部ユニットと電源部ユニットの取付けがねじの使用本数を少なくしてできるので、コストの低減に効果がある。
【００１４】
又、操作・表示部ユニットと電源部ユニットとが、それらの容器の底部を合わせた状態に係合することが可能な係合部を有するのも良い（請求項３の発明）。
このものでは、操作・表示部ユニットと電源部ユニットとを、組付けまでの間、コンパクトに結合して取扱うことができ、しかも、その結合によって、フラットケーブルの接続部に過度のストレスがかかることを防止できる。
【００１５】
本発明の洗濯機は、電子部品を実装した回路基板を有すると共に電子部品支えを有する電子ユニットと、前記電子部品支えに一体に形成され、フラットケーブル挿通部を有するケーブルホルダと、このケーブルホルダのフラットケーブル挿通部に挿通されて前記回路基板に接続されたフラットケーブルとを具備して成ることをも特徴とする（請求項４の発明）。
【００１６】
このものによれば、電子部品支えに一体に形成されたケーブルホルダのフラットケーブル挿通部の周囲部に対するフラットケーブルの係りによって、回路基板に接続されたフラットケーブルの接続部に過度のストレスがかかることを防止できる。
【００１７】
この場合、電子部品支えとケーブルホルダは、分断容易な連結部で連結されていると良い（請求項５の発明）。
このものでは、廃却時に、分断容易な連結部で分断することにより、フラットケーブルを挿通したケーブルホルダを回路基板に残して、電子部品支えを取外すことができ、該電子部品支え材料の再生利用のための回収が容易にできる。
【００１８】
又、ケーブルホルダが、フラットケーブル挿通部の周囲の一部に常開の口、又は開閉が可能な口を有するのも良い（請求項６の発明）。
このものでは、組立て時に、先にフラットケーブルを回路基板に接続し、その後に、ケーブルホルダを、ひいては電子部品支えを、フラットケーブル挿通部の口からフラットケーブルに組合わせることができる。
又、廃却時には、フラットケーブルを回路基板に接続したまま、ケーブルホルダを電子部品支えと共に、フラットケーブル挿通部の口から外すことができ、それら電子部品支え及びケーブルホルダ材料の再生利用のための回収が容易にできる。
【００１９】
【発明の実施の形態】
以下、本発明を全自動洗濯機（脱水兼用洗濯機）に適用して、その第１実施例につき、図１ないし図９を参照して説明する。
まず、図２に示す洗濯機の筐体１は、外箱２と、この外箱２を載置結合した図示しないベース、及び外箱２上に装着したトップカバー３から成っており、この筐体１の内部に図示しない槽や、この槽で洗濯や脱水を行う駆動装置（これも図示せず）を配設している。
【００２０】
トップカバー３には、前後の中間部に例えば二つ折りの蓋４を設けており、後部にバックカバー５を、前部に操作パネル６をそれぞれ装着している。操作パネル６は、この場合、操作部として、電源の「切・入」キー７、「スタート／一時停止」キー８、「水位」選択キー９、「行程」選択キー１０、「コース」選択キー１１、及び「予約」選択キー１２を有し、表示部として、水位段階表示１３、行程名表示１４、コース名表示１５、予約時間表示１６、及び洗剤量段階表示１７を有している。
【００２１】
次いで、図１には、上記トップカバー３の前部を、操作パネル６を取外した状態で示しており、このトップカバー３の前部には、ユニット収容部として、上方に開放する凹部１８を形成し、この凹部１８に、電子ユニットである、操作・表示部ユニット１９と電源部ユニット２０とを収容している。その配置は、操作・表示部ユニット１９に対し、電源部ユニット２０がそれの一側方（図中、左側）に位置する配置であり、且つ、電源部ユニット２０が後側に傾斜、特には角度で例えば約２０度傾斜する配置である。
【００２２】
上記両ユニットのうち、操作・表示部ユニット１９は、図３に示すように、箱形の容器２１に回路基板２２を収容して成るもので、その回路基板２２には、前記操作パネル６のキー７〜１２（操作部）に対応する電子部品であるタクトスイッチ２３〜２８と、表示１３〜１７（表示部）に対応する電子部品である複数ずつの発光ダイオード（以下、ＬＥＤと称す）２９〜３３をあらかじめ実装している。
【００２３】
又、ＬＥＤ２９〜３３は、そのすべてを一つの電子部品支えであるＬＥＤ支え３４に取付けて、このＬＥＤ支え３４を回路基板２２に装着することにより、該ＬＥＤ支え３４により支持している。更に、回路基板２２には、図示しないが、例えばマイクロコンピュータから成る制御装置をも実装している。
【００２４】
容器２１は一面（図３に示す状態では上面）が開放する直方体状を成すもので、その開放面から前記回路基板２２を収容して固定し（図３にはその固定をした容器２１内周面の複数の係止爪２１ｂを示している）、その後に、図４に示すように、ウレタン等のポッティング材を注入し固化させて回路基板２２を防湿及び保護のために包み込むポッティング３５をしている。
【００２５】
一方、電源部ユニット２０は、耐熱材、特には難燃材で形成した箱形の容器３６に回路基板３７を収容して成るもので、その回路基板３７には、図示はしないが、上記制御装置や駆動装置に対する電源供給のための、電源回路部品や、インバータ回路部品、及びノイズフィルタ回路部品といった電子部品５６（図７参照）を実装している。
【００２６】
又、容器３６は上記操作・表示部ユニット１９の容器２１より小さいものの、それと同様に一面（図４に示す状態では下面）が開放する直方体状を成すもので、その開放面から回路基板３７を収容して固定し、その後に、同じく、ウレタン等のポッティング材を注入し固化させて回路基板３７を防湿及び保護のために包み込むポッティング３８をしている。
なお、操作・表示部ユニット１９の回路基板２２と、電源部ユニット２０の回路基板３７は、この場合、例えば双方の電子部品を実装した一枚の基板から分割してそれぞれの基板と成している。
【００２７】
又、操作・表示部ユニット１９と電源部ユニット２０は、フラットケーブル３９によりあらかじめ接続している。このフラットケーブル３９は、図１に示す状態では、一端３９ａ（図４参照）を、操作・表示部ユニット１９の容器２１における電源部ユニット２０側の辺部２１ａ近くにおいて、該操作・表示部ユニット１９の回路基板２２に接続し、他端（図示せず）を、電源部ユニット２０の容器３６における操作・表示部ユニット１９側とは反対側の辺部３６ａ（図１、図３、及び図７参照）において、該電源部ユニット２０の回路基板３７に接続した形態のものであり、この関係上、該フラットケーブル３９は、操作・表示部ユニット１９の容器２１における電源部ユニット２０側の辺部２１ａから、電源部ユニット２０の容器３６における操作・表示部ユニット１９側とは反対側の辺部３６ａにわたっている。
【００２８】
又、この場合、前記ＬＥＤ支え３４には、図４のほか、図５に示すように、ケーブルホルダ４０を一体に形成している。このケーブルホルダ４０は、矩形の枠状を成すもので、ＬＥＤ支え３４と同じ材料の合成樹脂によりＬＥＤ支え３４と一体に形成しており、中央部に矩形で縦長の孔４０ａを有している。又、このケーブルホルダ４０は、下部にＬＥＤ支え３４の脚３４ａと同様の複数の脚４０ｂを有していて、この脚４０ｂにより回路基板２２上に支持されている。
【００２９】
更に、前記操作・表示部ユニット１９の容器２１には、図４に示すように、上記ケーブルホルダ４０の孔４０ａと同様の孔４１を形成しており、前記フラットケーブル３９は前記一端３９ａ近くの部分をそれらの孔４１，４０ａに挿通して、被覆を除去した状態の一端３９ａを回路基板２２に通し、その裏側で半田付けなどして接続している。従って、このとき、ケーブルホルダ４０の孔４０ａはフラットケーブル挿通部として機能している。
【００３０】
なお、操作・表示部ユニット１９における前述のポッティング３５は、上述の回路基板２２に対するフラットケーブル３９の接続後に行ったもので、ケーブルホルダ４０は、その全部がフラットケーブル３９の接続部付近の部分と共にポッティング３５中に埋まっている。
【００３１】
そして、操作・表示部ユニット１９の容器２１には、図３に示すように、電源部ユニット２０側の一つの角部と、これと対角位置にある角部、並びにこれらの間の一辺部の中間部に、それぞれ外方に突出する延出片状の取付部４２，４３，４４を形成し、外周面部のその他の複数箇所に同じく外方に突出する小角枠状の爪掛部４５を形成している。
【００３２】
又、電源部ユニット２０の容器３６には、図３に示す状態で、上記操作・表示部ユニット１９の容器２１における両角部とは対称的な両角部に、同じく外方に突出する延出片状の取付部４６，４７を形成し、外周面部のその他の複数箇所に同じく外方に突出する小角枠状の爪掛部４８を形成している。
【００３３】
加えて、操作・表示部ユニット１９の容器２１には、図８及び図９にも示すように、外周面部の更にその他の複数箇所に、係合部である爪４９，５０を形成しており、電源部ユニット２０の容器３６には、それと後述のごとく対応する係合部である爪５１と爪掛部５２とを、同じく外周面部の更にその他の複数箇所に形成している。
【００３４】
そして、それらに対し、前記操作パネル６には、裏面に図３に示す複数のボス５３と複数の爪５４とを形成しており、そのうちのボス５３は上記操作・表示部ユニット１９及び電源部ユニット２０の各取付部４２〜４４、４６，４７と対応し、爪５４は各爪掛部４５，４８と対応している。
【００３５】
ここで、上記操作・表示部ユニット１９及び電源部ユニット２０の組付けについて述べる。
まず、操作・表示部ユニット１９と電源部ユニット２０は、最初、図６の（ａ）に示すように、容器２１，３６の各開放面を上向きにして置き、この状態で、前記回路基板２２，３７の収容固定、及びポッティング３５，３８を行う。又、このとき、両ユニット１９，２０は、操作・表示部ユニット１９の容器２１における電源部ユニット２０側の辺部２１ａから、電源部ユニット２０の容器３６におけるこのときの操作・表示部ユニット１９側の辺部３６ａにわたり余裕ある長さをもって配したフラットケーブル３９で接続しておく。このフラットケーブル３９の余裕ある長さは、電源部ユニット２０の容器３６の横幅を超える長さである。
【００３６】
次に、図６の（ｂ）に示すように、電源部ユニット２０を操作・表示部ユニット１９から反する向きに起こし｛図６の（ａ）の矢印Ａ参照｝、更に、図６の（ｃ）に示すように倒して｛図６の（ｂ）の矢印Ｂ参照｝、その上下を最初の状態から反転させる。
【００３７】
これにより、前述のように、操作・表示部ユニット１９は上向き（容器２１の開放面が上向き）、電源部ユニット２０は下向き（容器３６の開放面が下向き）となって、これらのユニット１９，２０を、操作・表示部ユニット１９の容器２１における電源部ユニット２０側の辺部２１ａから、電源部ユニット２０の容器３６における操作・表示部ユニット１９側とは反対側の辺部（元は操作・表示部ユニット１９側の辺部）３６ａにわたり配したフラットケーブル３９で接続した状態となる。
【００３８】
かくして、このものの場合、操作・表示部ユニット１９を上向き、電源部ユニット２０を下向きにするものであっても、それらの接続をしたフラットケーブル３９はねじれることがない。
【００３９】
しかして、この後、図７に示すように、上下を反転させた操作パネル６に対し、操作・表示部ユニット１９及び電源部ユニット２０もともに上下を反転させて、爪掛部４５，４８を操作パネル６の爪５４に係合させる。すると、操作・表示部ユニット１９に対し、電源部ユニット２０がそれの一側方（図７では右側）に前述の例えば約２０度角傾斜して配設される。又、このとき、その操作・表示部ユニット１９に対する電源部ユニット２０の傾斜によって開くスペースＳでは、操作・表示部ユニット１９の取付部４２と、電源部ユニット２０の取付部４６とが上下に重なって操作パネル６のボス５３の一つと位置が合い、他の取付部４３，４４，４７も操作パネル６のボス５３の他のものとそれぞれ位置が合う。
【００４０】
そこで、次には、取付部４２，４６に１本の共通のねじ５５を通して、それをボス５３の一つに螺挿することにより、取付部４２，４６をボス５３の一つに取付け、他の取付部４３，４４，４７についても、それらにそれぞれねじ５５を通して、それらをボス５３の他のものにそれぞれ螺挿することにより、取付部４２，４６をボス５３の他のものに取付ける。
【００４１】
この後、操作パネル６の上下を元に戻して、前記トップカバー３前部の凹部１８に操作・表示部ユニット１９及び電源部ユニット２０を収容しつつ、該凹部１８上に操作パネル６を装着する（図２参照）。なお、先の図１における凹部１８に対する操作・表示部ユニット１９及び電源部ユニット２０の収容は、この操作パネル６の装着により行ったものである。
【００４２】
このように本構成のものでは、操作・表示部ユニット１９に対し、電源部ユニット２０はそれと重ねずそれの一側方に配設するから、それらの上下方向の寸法は各ユニットの一つ分の寸法で済み、それに伴い、操作パネル６の高さ位置を低くでき、操作パネル６の操作をしやすくできる。
【００４３】
又、両ユニット１９，２０については、操作・表示部ユニット１９を上向き、電源部ユニット２０を下向きにするものであっても、それらの接続をした接続線であるフラットケーブル３９はねじれることがなく、そのねじれに対応した従来の多数の細いリード線や、中継コネクタを介するものを使用する必要をなくして、安価なフラットケーブル３９を使用できるので、コストの低減ができる。
【００４４】
又、本構成のものでは、電源部ユニット２０を操作・表示部ユニット１９に対し傾斜させて配設し、そして、それによって開いたスペースＳで双方の取付部４２，４６を重ねて、それを貫通する共通のねじ５５により操作パネル６のボス５３の一つに取付けている。これにより、操作・表示部ユニット１９と電源部ユニット２０の取付けがねじ５５の使用本数を少なくしてできるので、コストの低減に効果がある。
【００４５】
更に、本構成のものでは、操作・表示部ユニット１９と電源部ユニット２０とが爪４９〜５１及び爪掛部５２を有し、図８及び図９に示すように、それらの容器２１，３６の底部２１ｃ，３６ｃを合わせた状態で、爪４９と爪５１、及び爪５０と爪掛部５２とを係合させることにより、操作・表示部ユニット１９と電源部ユニット２０とをその状態に結合することができる（図８及び図９は、操作・表示部ユニット１９と電源部ユニット２０とを、それぞれの容器２１，３６だけの状態で示している）。これにより、組付けまでの間、操作・表示部ユニット１９と電源部ユニット２０とをコンパクトに結合して取扱うことができ、しかも、その結合によって、フラットケーブル３９の接続部に過度のストレスがかかることを防止できる。
【００４６】
そのほか、本構成のものでは、操作・表示部ユニット１９が電子部品支えとしてＬＥＤ支え３４を有し、このＬＥＤ支え３４に一体に形成したケーブルホルダ４０の孔４０ａ（フラットケーブル挿通部）にフラットケーブル３９を挿通して、このフラットケーブル３９を回路基板２２に接続している。
【００４７】
これにより、ケーブルホルダ４０の孔４０ａの周囲部にフラットケーブル３９が係り、組付け時におけるそれの引張りによる屈曲が抑制されるので、フラットケーブル３９の接続部に過度のストレスがかかることを防止でき、断線のおそれをなくし得る。しかも、それがケーブルホルダ４０をＬＥＤ支え３４と一体に形成してできるので、フラットケーブル３９の接続部付近の屈曲の抑制がより堅固にできると共に、ケーブルホルダ４０を別途単独に形成する必要もなく、安価な構造で実現できる。
【００４８】
以上に対して、図１０ないし図１７は本発明の第２ないし第７実施例を示すもので、それぞれ、第１実施例と同一の部分には同一の符号を付して説明を省略し、異なる部分についてのみ述べる。
【００４９】
［第２実施例］
図１０に示す第２実施例においては、ＬＥＤ支え３４とケーブルホルダ４０とを、分断容易な連結部６１で連結している。この連結部６１は、この場合、細い丸棒状のもので、ＬＥＤ支え３４及びケーブルホルダ４０と一体に形成され、前後の２箇所に存在するが、その形状は角棒状や板状であっても良く、個数は２個より少なくても、又、多くても良い。
【００５０】
この構成により、廃却時に、連結部６１で分断することにより、フラットケーブル３９を挿通したケーブルホルダ４０を回路基板２２に残して、それよりも使用材料の多いＬＥＤ支え３４を取外すことができ、該ＬＥＤ支え３４材料の再生利用のための回収が容易にできる。
【００５１】
［第３実施例］
図１１に示す第３実施例においては、ケーブルホルダ４０の孔４０ａ（フラットケーブル挿通部）の周囲の一部に常開の口７１を有するようにしている。この口７１は、詳細には、フラットケーブル３９の厚みよりは大きいが、幅より幅狭なものであり、矩形で縦長の孔４０ａの周囲部中、前側の短辺の全部を開放させて形成している。
【００５２】
この構成により、組立て時には、先にフラットケーブル３９を回路基板２２に接続し、その後に、ケーブルホルダ４０をＬＥＤ支え３４と共に、口７１から、すなわち後からフラットケーブル３９に組合わせることができるものであり、回路基板２２に接続した状態のフラットケーブル３９の他端部から一端部へフラットケーブル３９に沿ってケーブルホルダ４０を嵌挿するというような手間を要しないし、そうすることによるストレスをフラットケーブル３９に与えることもない。
【００５３】
又、廃却時には、フラットケーブル３９を回路基板２２に接続したまま、ケーブルホルダ４０をＬＥＤ支え３４と共に、口７１から外すことができるので、それらＬＥＤ支え３４及びケーブルホルダ４０材料の再生利用のための回収が容易にできる。
なお、この口７１は、孔４０ａの後側の短辺に形成していても良いもので、要するにフラットケーブル３９の幅方向の両側のいずれか一方側に形成していれば良い。
【００５４】
［第４実施例］
図１２及び図１３に示す第４実施例においては、ケーブルホルダ４０の孔４０ａの周囲の一部に開閉が可能な口８１を有するようにしている。詳細には、孔４０ａの周囲部中、後側の短辺の中央部に薄肉部８２を形成し、前側の短辺側、特には前側の短辺とＬＥＤ支え３４側の長辺との境界部を分けて、その両側に係合部８３，８４を形成したものであり、その係合部８３，８４の係合を解除することにより、図１３に示すように口８１が開き、係合部８３，８４を係合させることにより、図１２に示すように口８１が閉じるようになっている。
【００５５】
この構成により、第３実施例同様の作用効果を得ることができる。すなわち、組立て時には、先にフラットケーブル３９を回路基板２２に接続し、その後に、口８１を開いたケーブルホルダ４０をＬＥＤ支え３４と共に、口８１から、すなわち後からフラットケーブル３９に組合わせることができるものであり、従って、この場合も、回路基板２２に接続した状態のフラットケーブル３９の他端部から一端部へフラットケーブル３９に沿ってケーブルホルダ４０を嵌挿するというような手間を要しないし、そうすることによるストレスをフラットケーブル３９に与えることもない。
【００５６】
なお、組立て後には、口８１を閉じることによって、第１実施例同様の、フラットケーブル３９の接続部付近の屈曲の抑制がより堅固にできる効果が得られる。
【００５７】
そして、廃却時には、フラットケーブル３９を回路基板２２に接続したまま、口８１を開いたケーブルホルダ４０をＬＥＤ支え３４と共に、口８１から外すことができるので、それらＬＥＤ支え３４及びケーブルホルダ４０材料の再生利用のための回収が容易にできる。
なお、この口８１も、孔４０ａの後側の短辺側に形成していても良いもので、要するにフラットケーブル３９の幅方向の両側のいずれか一方側に形成していれば良い。
【００５８】
［第５実施例］
図１４に示す第５実施例においては、ケーブルホルダ４０に下方への延長部４０ｃを形成して、この延長部４０ｃが、すなわち、ケーブルホルダ４０の一部が、フラットケーブル３９の接続部付近の部分と共に、ポッティング材の注入高さを下げたポッティング３５中に埋まるようにしている。
【００５９】
このように、ケーブルホルダ４０は、その全部でなく、一部がポッティング３５中に埋まる構成であっても良い。これらのようにケーブルホルダ４０の全部又は一部がフラットケーブル３９の接続部付近の部分と共にポッティング３５中に埋まる構成では、前述のケーブルホルダ４０によるフラットケーブル３９の接続部付近の屈曲の抑制作用がなければ、フラットケーブル３９の接続部付近が屈曲されたとき、その反対側でフラットケーブル３９がポッティング３５から剥がれ、そこから水分が浸入するおそれがあるが、それを前述のケーブルホルダ４０によるフラットケーブル３９の接続部付近の屈曲の抑制作用によって防止することができる。
【００６０】
［第６実施例］
図１５に示す第６実施例においては、ケーブルホルダ４０に下方及び上方への延長部４０ｄ，４０ｅを形成して、その上方への延長部４０ｅから下方への延長部４０ｄの途中部までの深さで、孔４０ａを回路基板２２側に先狭状に、すなわち、フラットケーブル３９の挿入方向に先狭状に形成している。
【００６１】
この結果、孔４０ａの回路基板２２側とは反対側の間口寸法Ｃは、回路基板２２側の間口寸法Ｄより大きく、その大きい方から小さい方へフラットケーブル３９がガイドされて挿入される。かくして、回路基板２２の挿入孔２２ａに対するフラットケーブル３９の一端３９ａの挿入が容易にできるようになる。
【００６２】
［第７実施例］
図１６及び図１７に示す第７実施例においては、ケーブルホルダ４０に下方及び上方への延長部４０ｆ，４０ｇを形成して、特にその下方への延長部４０ｆは回路基板２２の上面近くに達する長さとし、そして、その下方への延長部４０ｆの下部（回路基板２２側）に、孔４０ａに連なる複数の分孔４０ｈを、それぞれ円錐形の先細状に形成している。
【００６３】
しかして、上記孔４０ａの個数及びその間隔は、フラットケーブル３９の一端３９ａの個数及び間隔に対応するものであり、従って、フラットケーブル３９を孔４０ａからその先方（回路基板２２側）へ挿入すれば、フラットケーブル３９の一端３９ａがそれぞれ分孔４０ｈにガイドされて挿入される。かくして、この場合、回路基板２２の挿入孔２２ａに対するフラットケーブル３９の一端３９ａの挿入が一段と容易にできるようになる。
【００６４】
このほか、本発明は上記し且つ図面に示した各実施例にのみ限定されるものではなく、特に洗濯機全体としては、全自動洗濯機以外に、例えば洗濯・脱水機能と共に乾燥機能をも有する洗濯乾燥機や、洗濯槽と脱水槽とを並設した二槽式洗濯機等にも適用して実施できるなど、要旨を逸脱しない範囲内で適宜変更して実施し得る。
【００６５】
【発明の効果】
以上説明したように、本発明の洗濯機によれば、操作パネルの高さ位置を低くできると共に、操作・表示部ユニットと電源部ユニットとを接続する接続線にねじれを生じず、多数の細いリード線や、中継コネクタを介するものを使用する必要をなくして、コストの低減ができる。
又、本発明の洗濯機によれば、電子ユニットに接続した接続線に過度のストレスがかかることを、安価な構造で防止することができる。
【図面の簡単な説明】
【図１】本発明の第１実施例を示すトップカバー前部の、操作・表示部ユニット及び電源部ユニットのみを収容した状態の斜視図
【図２】洗濯機上部の外観斜視図
【図３】操作・表示部ユニット及び電源部ユニットの分解斜視図
【図４】操作・表示部ユニット及び電源部ユニットの部分縦断面図
【図５】ケーブルホルダ部分の斜視図
【図６】操作・表示部ユニット及び電源部ユニットの組付け前の手順を示す説明図
【図７】操作パネルに対する操作・表示部ユニット及び電源部ユニットの組付け状態を示す斜視図
【図８】操作・表示部ユニット及び電源部ユニットとの結合状態を示す斜視図その１
【図９】操作・表示部ユニット及び電源部ユニットとの結合状態を示す斜視図その２
【図１０】本発明の第２実施例を示す図５部分相当図
【図１１】本発明の第３実施例を示すケーブルホルダ部分の平面図
【図１２】本発明の第４実施例を示す図１１相当図
【図１３】図１２とは状態の異なる図１１相当図
【図１４】本発明の第５実施例を示す図４相当図
【図１５】本発明の第６実施例を示す図４部分相当拡大図
【図１６】本発明の第７実施例を示す図１５相当図
【図１７】ケーブルホルダ部分の縦断側面図
【符号の説明】
６は操作パネル、７〜１２はキー（操作部）、１１〜１７は表示（表示部）、１９は操作・表示部ユニット、２０は電源部ユニット、２１は容器、２２は回路基板、２３〜２８はタクトスイッチ（電子部品）、２９〜３３はＬＥＤ（電子部品）、３４はＬＥＤ支え（電子部品支え）、３６は容器、３７は回路基板、３９はフラットケーブル、４０はケーブルホルダ、４０ａは孔（フラットケーブル挿通部）、４２，４６は取付部、４９〜５１は爪（係合部）、５２は爪掛部（係合部）、５５はねじ、５６は電子部品、６１は分断容易な連結部、７１は常開の口、８１は開閉が可能な口を示す。
【図１】
2004121760.tif 000003
【図２】
2004121760.tif 000004
【図３】
2004121760.tif 000005
【図４】
2004121760.tif 000006
【図５】
2004121760.tif 000007
【図６】
2004121760.tif 000008
【図７】
2004121760.tif 000009
【図８】
2004121760.tif 000010
【図９】
2004121760.tif 000011
【図１０】
2004121760.tif 000012
【図１１】
2004121760.tif 000013
【図１２】
2004121760.tif 000014
【図１３】
2004121760.tif 000015
【図１４】
2004121760.tif 000016
【図１５】
2004121760.tif 000017
【図１６】
2004121760.tif 000018
【図１７】
2004121760.tif 000019